(57)【要約】      （修正有）【課題】喫食中に手から滑り落ちることを防止可能にした弁当箱を提供する。【解決手段】所定の面積と高さを有する容器本体１と、この容器本体に被せる蓋２とからなる弁当箱である。容器本体１の底板部１ａの所定位置に指入れ穴３が設けてあり、この指入れ穴を延長可能に容器本体１の内部に突設してある筒部５が設けてある。指入れ穴３に親指又は中指を挿入して容器本体１を支持すれば、喫食中に手から滑り落ちるおそれをなくすことができる。他の手段として筒部の先端部を容器本体の側板部の高さよりも高い位置に設定し、これに対応する蓋には筒部の先端部に対応する位置に指入れ穴に係合可能な袋部を形成したものがある。筒部の先端部近傍の下方に向かう所定範囲を袋部の凹部に嵌合するようにしてある。弁当箱を積み重ねたときに指入れ穴と袋部の凹部とが係合することにより崩れ落ちを防止可能となる。【選択図】図１
0003133036.tif 000002
【実用新案登録請求の範囲】
【請求項１】
所定の面積と高さを有する容器本体と、この容器本体に被せる蓋とからなる弁当箱であって、
上記容器本体の底板部の所定位置に設けてある指入れ穴と、
上記指入れ穴を延長可能に上記容器本体の内部に突設してある筒部と
を備えていることを特徴とする弁当箱。
【請求項２】
請求項１において、上記筒部の先端部は上記容器本体の側板部の高さよりも高い位置にあり、上記蓋には上記筒部の先端部に対応する位置に上記指入れ穴に係合可能な袋部が形成してあり、上記筒部の先端部から下方に向かう所定範囲は上記袋部の内側に形成してある凹部に嵌合するようになっているとともに、上記袋部は他の容器本体の上記指入れ穴に嵌合可能としてあることを特徴とする弁当箱。
【考案の詳細な説明】
【技術分野】
【０００１】
本考案は、弁当箱に関するものである。
【背景技術】
【０００２】
最近の食生活の多様化により、各種店舗で販売されている弁当やおにぎりあるいはサンドイッチなど時と場所を選ばずに食事を楽しむ機会が増えている。特に弁当は容器にごはんと複数種類のおかずとを詰め合わせ収納することにより需用者の好みに合うように種々のものが提供されている。弁当の形状にも種々のものがあるが、プラスチック製のものはデザインの向上と滑り止めを兼ねて底板部に凹凸を設けていることが多い。中には底板部に設けた突状部にシールを貼り付けて滑り止め機能の向上を図ったものもある（特許文献１）。
【０００３】
【特許文献１】特開平３−７２６４７号公報
【考案の開示】
【考案が解決しようとする課題】
【０００４】
ところで弁当で食事をする際には食卓上や机上に載せた状態で喫食することが多いが、屋外で喫食する場合等には弁当箱の容器本体を一方の手で持ち、他方の手で箸を使うことが普通である。この場合、手の大きさに比較して容器本体の底部面積が大きいときなどには片手で支持することが難しく、食事中に弁当が滑り落ちる危険性がある。また、ハンバーグなど容積の大きいおかずを容器本体内にある状態のまま箸を使って千切ろうとして下向きの力を加えると、容器本体が傾いて手から滑り落ちてしまうことがある。特許文献１のようにシールを貼付してもこの状況は、基本的に変わりはない。また、弁当販売所等においては多数の弁当を積み重ねて保管し、あるいは運搬することがあるが、容器の底面及び蓋の上面が平坦になっているものではこのように重ねると、少しずつずれて崩れ落ちてしまうことがある。この現象は容器の底面や蓋の上面に凹凸を設けたものであっても避けられないことが多い。
【課題を解決するための手段】
【０００５】
本考案は、上記の課題を解決するために、以下の手段を採用することにより以下の作用効果を生じるようにしたものである。本考案は、所定の面積と高さを有する容器本体と、この容器本体に被せる蓋とからなる弁当箱に関するものである。請求項１に記載した弁当箱は、容器本体の底板部の所定位置に設けてある指入れ穴と、この指入れ穴を延長可能とするように容器本体の内部に突設してある筒部とを備えているところに特徴がある。この弁当箱は、喫食する際に上記の指入れ穴に親指又は中指を挿入し、他の指及び掌で容器本体の底板部及び側板部を押さえるように支持するようにしたものである。このように指入れ穴を設けることにより弁当が手から滑り落ちるおそれをなくしたものである。また、ハンバーグなどの容積の大きいおかずを箸で分断しようとする場合には、箸先を底板に向けて押し付けても指入れ穴に指が挿入してあることにより滑り落ちを防止可能となる。
【０００６】
請求項２に記載した考案に係る弁当箱は、基本的には請求項１に記載した考案と同様の構成作用を有するものであるが、以下の構成を採用することによりさらに別の作用効果を生じるようにしたものである。すなわち、上記した筒部の先端部は容器本体の側板部の高さよりも高い位置になるようにしてあるとともに、これに被せる蓋には上記の筒部の先端部に対応する位置に、上記の指入れ穴に係合可能な袋部が形成してある。そして容器本体の筒部の先端部近傍における下方に向かう所定範囲は、上記の袋部の内側に形成してある凹部に嵌合するようにしてある。これとともに、この袋部は他の容器本体における指入れ穴に嵌合可能としてある。上記の構成は食品が詰まった弁当箱を積み重ねる際には、蓋の袋部と容器の指入れ穴とを嵌合させることにより位置ずれを防ぐことができるので、崩れ落ちを防止可能となる。
【考案の効果】
【０００７】
本考案によれば、弁当箱である容器本体の底板部に指入れ穴が設けてあるので、喫食する際にはこの指入れ穴れに指を入れ、他の指及び掌で弁当等を支持することにより弁当の滑り落ちを防止可能となる。また、指入れ穴を設けてある筒部と蓋に設けた袋部との組合せにより弁当等を積み重ねたときの崩落を防止可能となる。
【考案を実施するための最良の形態】
【０００８】
次に本考案の実施の形態として一般的に販売されている弁当箱を２つの実施例を挙げて説明する。弁当箱の形状や材質は多種多様であるが、ここではいずれもプラスチック製の単純な形状のものを取り上げて説明する。
【実施例１】
【０００９】
図１は実施例１に係る弁当箱LB１の正面図（ａ）と平面図（ｂ）とを示し、図２は弁当箱の容器本体を上から見た状態を斜視図で示し、図３は容器本体１を左手で支持している状態を斜め下方から見た状態を示している。図１、図２に示すように、この容器本体１は底板部１ａの中心から所定距離だけずれた位置に指入れ穴３と、それに続いて指入れ穴を延長可能にするように弁当の内部に突設している筒部５とが設けてある。容器本体１の周囲は側板部１ｂにより内外を仕切ってあり、さらにその内部には仕切り１ｃが設けてある。仕切りの形状や数は弁当箱の種類や使用目的に応じて無限に近い種類があるので、ここでは仕切りの有無や形状等には拘らない。指入れ穴３は成人の親指が入る大きさとし、これに続く筒部５の高さは縁部１ｂの高さよりもやや低くなっている。筒部５の内部には上記の指入れ穴３が貫通しているが、指を挿入しても挿入した指が収納してあるごはんやおかずに接触しないようにしてある。
【００１０】
この弁当箱１の使用法は、図３に示すように、弁当で喫食する際に親指を指入れ穴３に挿入し、他の４本の指で底板部１ａ及び側板部１ｂを押さえることにより支持する。親指が穴に挿入されていることにより、容器本体１が手から滑り落ちる心配がなくなるので安心して喫食可能となる。また、容器本体１に収納してあるハンバーグなど大きめのおかずを箸で分断しようとする場合にも比較的大きな力を加えてもずり落ちることがなくなるので便利になる。弁当や手の大きさ、あるいは好み等に応じて指入れ穴には中指又は人指しさし指を挿入して喫食することも可能である。
【００１１】
弁当箱の内部を密封するものにあっては、指入れ穴３の先端部が開口になっていると、内外が連通して埃等が入ってしまうおそれがあることから、これを避けたい場合には、図４に示すように、先端部に塞部７設けて袋状にするとよい。図４では塞部７の形状は半球状になっているが、この形状は内外を完全に遮断するものであれば何でもよい。
【実施例２】
【００１２】
実施例２は、指入れ穴及び筒部の高さを側板部の高さよりも高くすることにより、上記の滑り止め機能に加えて、弁当を積み重ねたときのずり落ち防止機能を付加したものである。図５は実施例２の容器本体の正面図（ａ）及び平面図（ｂ）を、また、図６はこれに対応する蓋の正面図（ａ）及び平面図（ｂ）を示している。指入れ穴１３及び筒部１５の先端部の高さは、容器本体１１の側板部１１ｂの高さよりも高い位置になるようにしてある。図６に示すように、蓋２１は容器本体１１の天板部１１ａに被冠可能な形状に形成してあり、被冠したときに容器本体１１の筒部１５に対応する位置に袋部２５が形成してある。この袋部２５の内側は凹部２５ａになっており、容器本体１１の筒部１５の先端部から下方に向かう所定範囲は、上記の凹部２５ａに嵌合可能にしてある。
【００１３】
図７は容器本体１１に蓋２１を被せてなる弁当箱ＬＢ２を示している。弁当箱ＬＢ２では、最初の弁当箱をＡとすると次の弁当箱Ｂをこの上に滑り落ちのおそれなしに載せることが可能となっている。すなわち、弁当箱Ａの袋部２５を次の弁当箱Ｂの指入れ穴１３に嵌合させれば、蓋の天板部２１ａの上面と、弁当箱Ｂの容器本体１１の下面とが当接状態となり、筒部１５と袋部２５との係合により位置ずれなしに積み重ね可能となる。同じ弁当箱を重ねて保管しあるいは持ち運びするようにすれば、筒部５と袋部２５との係合により位置ずれを起こすおそれを生じなくすることができる。
【００１４】
図８は台２７上に弁当箱を筒部５と袋部２５とを係合させた状態で、Ａ，Ｂ，Ｃ，…と順次積み重ねた状態を示している。このように多数の弁当箱を積み重ねても、筒部１５と袋部２５との係合により位置ずれを起こさないので運搬や保管に便利になる。容器本体の底部及び蓋の天板部との両者が平滑なものであると、上に位置する弁当箱は下の弁当箱の袋部を中心として回転するおそれがあるので、このような回転を防止するために、両者に滑り止め用の凹凸を設けるとよい。さらに、このような回り止めを貫徹する手段として上記の袋部と指入れ穴とからなるべく離れた位置に、蓋の天板部には突部を設け、他の弁当の底板部には凹部を設けることにより、これらの突部と凹部とが互いに係合可能とするとよい。なお、突部と凹部との設置対象は上記の逆であってもよい。
【００１５】
上記説明における指入れ穴及び筒部はテーパー状になっているがこれに拘束されるものではなく、段差付きストレート管体としても良い。このような弁当箱を積み重ねる場合には、袋部の外径を指入れ穴の下端部近傍の内径に対応するものとすればよい。
【産業上の利用可能性】
【００１６】
本考案は弁当箱等の食品容器に関するものであり、産業上十分に利用可能なものである。
【図面の簡単な説明】
【００１７】
【図１】実施例１の構成を示すものであり、（ａ）は正面図、（ｂ）は平面図である。
【図２】実施例１に係る容器本体の構成を示す斜視図である。
【図３】容器本体の指入れ穴に親指を入れて容器本体を支持している状態を示す斜視図である。
【図４】筒部の先端部に塞部を設けた例を示す拡大断面図である。
【図５】実施例２に係る容器本体の構成を示すものであり、（ａ）は正面図、（ｂ）は平面図である。
【図６】実施例２に係る蓋の構成を示すものであり、（ａ）は正面図、（ｂ）は底面図である。
【図７】実施例２の構成を示す正面図である。
【図８】弁当箱を積み重ねた状態を示す正面図である。
【符号の説明】
【００１８】
１，１１      容器本体
１ａ，１１ａ  底板部
１ｂ、１１ｂ  側板部
３，１３      指入れ穴
５，１５      筒部
２，２１      蓋
２１ａ        天板部
２５          袋部
２５ａ        凹部
【図１】
0003133036.tif 000003
【図２】
0003133036.tif 000004
【図３】
0003133036.tif 000005
【図４】
0003133036.tif 000006
【図５】
0003133036.tif 000007
【図６】
0003133036.tif 000008
【図７】
0003133036.tif 000009
【図８】
0003133036.tif 000010